(57)【要約】      （修正有）【課題】手差しトレイにセットされた印刷用紙の搭載状態を、印刷用紙に埋め込まれたＩＣタグを給紙口付近に設けた２つの検出アンテナにて検出された時の検出レベルの違いを利用して判別することができる画像形成装置を提供する。【解決手段】プリンタ１０は、手差しトレイ１７に搭載された印刷用紙２０のＩＣタグ３０を、給紙口１７付近に設けられた２つのＩＣタグ読み取りアンテナ（１５１、１５２）によるＩＣタグ３０のメモリから読み取る、用紙サイズ、タグの埋め込み位置の情報と、ＩＣタグ３０との通信距離を調節する検出レベルを０から増加させた場合に、先に検出したアンテナと、そのときの検出レベルの組み合わせ情報から、印刷用紙２０の長手、短手の向き、印刷面が指定された用紙においては、用紙の表、裏の向きを判別する。【選択図】図１
2007050992.tif 000002
【特許請求の範囲】
【請求項１】
ＩＣタグが埋め込まれた印刷用紙を給紙口から給紙して印刷を行う画像形成装置において、
前記給紙口の両端にそれぞれ設けられたアンテナと、
前記アンテナにより前記ＩＣタグのタグ情報を読み取るタグ情報読取手段と、
前記タグ情報読取手段により前記タグ情報を読み取った前記アンテナの検出レベルを検出する検出手段と、
前記タグ情報読取手段により読み取った前記タグ情報および前記検出手段の検出レベルに基づき、前記印刷用紙のサイズおよび該印刷用紙の向きを判別する判別手段と
を具備することを特徴とする画像形成装置。
【請求項２】
前記ＩＣタグは、
前記印刷用紙の４つの角のいずれかに埋め込まれており、
前記タグ情報には、
前記印刷用紙のサイズ情報と前記ＩＣタグの埋め込み位置を示す位置情報を含み、
前記判別手段は、
前記印刷用紙のサイズ情報に基づき前記印刷用紙のサイズを判別し、前記印刷用紙のサイズ情報および前記位置情報および前記検出手段の検出レベルに基づき前記印刷用紙の走行方向に対する該印刷用紙の方向および裏表を判別する
ことを特徴とする請求項１記載の画像形成装置。
【請求項３】
前記検出手段は、
前記アンテナの検出レベルを順次増加し、該検出レベルの増加に際して前記タグ情報を読取可能になった時点の検出レベルを検出する
ことを特徴とする請求項１または２記載の画像形成装置。
【請求項４】
前記判別手段で判別した前記印刷用紙のサイズおよび該印刷用紙の向きが印刷設定に適合しない場合は、その旨を報知する報知手段
をさらに具備する
ことを特徴とする請求項１乃至３のいずれかに記載の画像形成装置。
【発明の詳細な説明】
【技術分野】
【０００１】
本発明はＩＣタグを埋め込んだ印刷用紙に画像を印刷する画像形成装置に関し、特に、給紙する用紙の搭載状態を判別するセンサを持たない給紙機構にセットされた印刷用紙の搭載状態を判別する技術に関する。
【背景技術】
【０００２】
印刷用紙にＩＣタグを埋め込んだ例としては、特許文献１に記載された「非接触方式のタグ部材が埋め込まれてなる印刷用紙」が開示されている。
【０００３】
また、ＩＣタグのメモリ部に印刷用紙のサイズ、種類を記録する技術として特許文献２に記載された「紙質ＩＤ付き印刷用紙」が開示されている。
【０００４】
さらに、ＩＤタグに印刷用紙の紙質を示す情報を記録し、印刷する際は、その紙質に合わせた印刷制御を行う技術として、特許文献３に記載された「紙質自動判定機能付き印刷装置
」がある。
【特許文献１】特開２００２−２９８１１８号公報。
【特許文献２】特開２００３−０６４５９８号公報。
【特許文献３】特開２００３−０５４０７５号公報。
【発明の開示】
【発明が解決しようとする課題】
【０００５】
手差しトレイを使用して印刷用紙を給紙する場合、同一の用紙サイズおよび搭載方向で複数の印刷用紙をセットする給紙トレイとは異なり、印刷用紙のサイズ、紙質、印刷用紙の搭載状態（印刷用紙の長手方向、短手方向、印刷面が指定された用紙の表、裏）を印刷装置にて検出することができず、使用者判断に任される。
【０００６】
従って、搭載する用紙のサイズ、搭載方向にミスがあった場合、給紙される前にその誤りを検知し、搭載状態を是正するように使用者に促したり、搭載状況に応じた印刷制御を行うことができなかった。
【０００７】
印刷する画像のサイズ、画像の長手方向、短手方向に適さない状態で給紙して印刷されると、定着部の汚れを招き、印刷ミスによる印刷用紙の無駄が生じた。
【０００８】
この問題を解決するために、手差しトレイにサイドガイドの位置を検出するセンサを取り付け、用紙の搭載状態を検出する方法が考えられるが、エンドガイドの位置にはセンサを設けることが困難であったため長手/短手の判断はできなかった。
【０００９】
また、サイズ異なる用紙が複数セットされた場合は対応することができなかった。
【００１０】
また、印刷装置にこれらのセンサを装着することは、製造コスト、製品コストの引き上げを招いてしまう問題がある。
【００１１】
よって、本発明は、手差しによる給紙機構を有し、ＩＣタグが埋め込まれた印刷用紙への印刷が可能な画像形成装置において、ＩＣタグのメモリに記録された情報と、手差しトレイの給紙口付近に設置された２つのＩＣタグ読み取りアンテナによる読み取り制御によって、手差しトレイにセットされた印刷用紙の搭載状態を判別することができる画像形成装置の提供を目的とする。
【課題を解決するための手段】
【００１２】
上記目的を達成するために、請求項１の発明は、ＩＣタグが埋め込まれた印刷用紙を給紙口から給紙して印刷を行う画像形成装置において、給紙口の両端にそれぞれ設けられたアンテナと、アンテナによりＩＣタグのタグ情報を読み取るタグ情報読取手段と、タグ情報読取手段によりタグ情報を読み取ったアンテナの検出レベルを検出する検出手段と、タグ情報読取手段により読み取ったタグ情報および検出手段の検出レベルに基づき印刷用紙のサイズおよび該印刷用紙の向きを判別する判別手段とを具備することを特徴とする。
【００１３】
また、請求項２の発明は、請求項１の発明において、ＩＣタグは、印刷用紙の４つの角のいずれかに埋め込まれており、タグ情報は、印刷用紙のサイズ情報とＩＣタグの埋め込み位置を示す位置情報を含み、判別手段は、印刷用紙のサイズ情報に基づき印刷用紙のサイズを判別し、印刷用紙のサイズ情報および位置情報および検出手段の検出レベルに基づき印刷用紙の走行方向に対する該印刷用紙の方向および裏表を判別することを特徴とする。
【００１４】
また、請求項３の発明は、請求項１または２の発明において、検出手段は、アンテナの検出レベルを順次増加し、該検出レベルの増加に際してタグ情報を読取可能になった時点の検出レベルを検出することを特徴とする。
【００１５】
また、請求項４の発明は、請求項１及至３のいずれかの発明において、判別手段で判別した印刷用紙のサイズおよび該印刷用紙の向きが印刷設定に適合しない場合は、その旨を報知する報知手段をさらに具備することを特徴とする。
【発明の効果】
【００１６】
本発明の画像形成装置によれば、印刷用紙に埋め込まれたＩＣタグのメモリの情報と、２つのＩＣタグ読み取りアンテナにて、手差しで給紙される印刷用紙の搭載状態を判別して報知できるようにしたので、用紙の搭載ミスを検出して報知するので、印刷ミスを減らすことができる。
【発明を実施するための最良の形態】
【００１７】
本発明の画像形成装置の実施例について添付図面を参照しながら説明する。
【００１８】
図１は、 本発明の画像形成装置の制御構成を示すブロック図である。
【００１９】
図１において、プリンタ１０は、ＩＣタグ３０が埋め込まれた印刷用紙２０を使用した印刷処理を行う。
【００２０】
また、プリンタ１０は、手差しトレイ１７に搭載する印刷用紙２０の幅に合わせて調節することにより、手差しトレイ１７の中心と搭載された印刷用紙２０の中心が一致する位置で給紙を行うためのサイドガイド１６を有する。
【００２１】
印刷用紙２０に埋め込まれたＩＣタグ３０には、印刷用紙のサイズ、紙質、埋め込まれたＩＣタグ３０の位置情報を記録するためのメモリ部（図示せず）を有し、ＩＣタグ読み取り装置Ａ１４１に接続されたアンテナＡ１５１（同様に、ＩＣタグ読み取り装置Ｂ１４２に接続されたアンテナＢ１５２）によって読み取り処理が行われる。
【００２２】
以後、ＩＣタグ読み取り装置と称した場合は、２つのＩＣタグ読み取り装置Ａ１４１、ＩＣタグ読み取り装置Ｂ１４２を総称する、あるいは、ＩＣタグ３０のデータ読み取り制御を行っているＩＣタグ読み取り装置Ａ１４１、ＩＣタグ読み取り装置Ｂ１４２いずれかを指すものとする。
【００２３】
同様に、タグ読み取りアンテナと称した場合は、アンテナＡ１５１、アンテナＢ１５２両者もしくは、ＩＣタグ３０を検出して動作しているアンテナＡ１５１、アンテナＢ１５２のいずれか一方を指すものとする。
【００２４】
なお、印刷用紙２０のＩＣタグ３０は、パッシブ型のＩＣタグであって、放射された電磁波の誘導による電力にて動作し、メモリに記憶したデータをタグ読み取り装置１４に対して送信する。
【００２５】
これにより、プリンタコントローラ１１は、印刷する印刷用紙２０の搭載状態（長手方向、短手方向、印刷面の向き（表、裏））、用紙サイズ、紙質を考慮したプリントエンジン１３における画像の定着処理を制御する。
【００２６】
プリンタ１０は、アンテナＡ１５１あるいは、アンテナＢ１５２によって、電力供給を行う信号の出力レベル（以後、「検出レベル」と称する。）を０から双方同じく順次増加させ、該検出レベルの増加に際してＩＣタグ３０のメモリ読み取りが可能になった時点の検出レベルと、メモリから読み取った用紙サイズ、ＩＣタグ３０の埋め込み位置を示す位置情報に基づいて印刷用紙２０の搭載状態を判別する。
【００２７】
プリンタ１０は、印刷する画像のサイズ、長手方向、短手方向に対する印刷用紙２０の搭載状態が不適切な場合、印刷処理を中断し、印刷用紙２０を正しく搭載し直す操作を使用者に促すメッセージを操作表示部１８に表示する。
【００２８】
コントローラ記憶部１２は、印刷用紙２０の搭載状態を、ＩＣタグ３０を検出した時のＩＣタグ読み取りアンテナの検出レベルと、ＩＣタグ３０から読み取った用紙サイズ、用紙の種類、ＩＣタグ３０の埋め込み位置の情報に基づいて特定するための判別表（詳細は後述する）を、プリンタ１０にて取り扱いが可能な用紙サイズと、ＩＣタグ３０が印刷用紙２０に埋め込まれる位置のタイプとの組み合わせ毎に作成された判別表を記憶する。
【００２９】
図２は、ＩＣタグ３０の埋め込み位置のタイプを示した図である。
【００３０】
ＩＣタグ３０は、印刷用紙２０の４つあるいずれかの角（図の網掛け部）に埋め込まれ、この埋め込み位置は、図２（Ａ）、図２（Ｂ）のいずれかのタイプで決定される。ここで、２つのタイプとしているのは、用紙によっては表裏を区別する場合があるためであり、用紙の表裏を区別しないような一般用紙等である場合には、図２（Ａ）、図２（Ｂ）のタグ埋め込みタイプを区別せず、１つのパターンで統一することができる。
【００３１】
図２（Ａ）、図２（Ｂ）に示したタグ埋め込みタイプそれぞれにおいて、ＩＣタグ３０を埋め込む位置は、図３、図４に示す手差しトレイ１７への搭載が想定される各状態を、アンテナＡ１５１あるいはアンテナＢ１５２による検出レベルと、双方のＩＣタグ読み取りアンテナの出力を０から次第に増加させた場合に、いずれか一方のアンテナが先に検出して、検出した時の電力供給用のアンテナ（図示せず）において、検出レベルが、用紙の搭載状態毎に違いが生じるように事前に位置決めされる。
【００３２】
図３は、図２（A）に示した第１の埋め込みタイプの印刷用紙２０を使用した時の搭載パターンを示した図である。
【００３３】
図３（Ａ）から印刷用紙２０を左回りに９０度ずつ回転した情報を図３（Ｂ）、図３（Ｃ）、図３（Ｄ）に示し、図３（Ａ）を裏返して搭載した図３（Ｅ）から、右周りに９０度づつ回転した状態を図３（Ｆ）、図３（Ｇ）、図３（Ｈ）として順に示している。
【００３４】
同様に図４は、図２（Ｂ）に示した第２の埋め込みタイプの印刷用紙２０を使用した時の搭載パターンを示した図である。
【００３５】
図５は、図４に示した印刷用紙２０の搭載状態別におけるＩＣタグ読み取りアンテナによる検出イメージをそれぞれ示した図である。
【００３６】
図５に示した図５（Ａ）から図５（Ｈ）の各図において、ＩＣタグ読み取りアンテナのうち、黒く塗りつぶした側のアンテナがＩＣタグ３０を検出したことを示し、その上に示した「Ｌ１」、「Ｌ２」、「L３」、「Ｌ４」は、検出した時の検出レベルを示し、各レベルの大小関係は、Ｌ１＜Ｌ２＜L３＜Ｌ４となることを示す。
【００３７】
図５において、例えば、図５（Ａ）は、アンテナＡ１５１が先にＩＣタグ３０を検知し、そのときのアンテナの検出レベルがＬ２であることを示している。
【００３８】
以後同様にして、図５（Ｂ）、・・・、図５（Ｈ）にて、先に検出したアンテナの識別情報と、その検出レベルの組み合わせ、さらに、図２に示したいずれの埋め込みタイプかの情報の判別表の例を図６に示す。
【００３９】
図６は、ＩＣタグ３０の埋め込みタイプと、用紙サイズによって決定される複数ある判別表のうち、一つの例を示した図である。
【００４０】
「埋め込みタイプ」、「用紙サイズは」、ＩＣタグ読み取り装置による印刷用紙２０のＩＣタグ３０読み取り処理にて取得される情報であり、プリンタコントローラ１１は、この状態に基づいて判別処理に使用する判別表を決定する。
【００４１】
判別表に記録される情報には、検出レベルを０から増加させ、先に検出したアンテナの識別子を示す「検出アンテナ」、検出される電力供給用アンテナの検出レベルの基準値を示す「検出レベル」と、その結果として判別される印刷用紙２０の状態を示す「搭載状態」があり、すべての搭載状態の組み合わせがそれぞれ記録される。
【００４２】
例えば、検出したアンテナが”Ａ１”であり、 「検出レベル」が”Ｌ１”の時は、印刷用紙２０の給紙走行方向は印刷用紙２０の「短手方向」と一致する状態であり、印刷面が区別されている場合は、（印刷面）が裏向きにセットされた状態（給紙されて印刷した場合に裏側に画像が印刷されてしまう向き）であることを示す。  
次に、プリンタ１０が、これまでに説明したＩＣタグ読み取りアンテナによるＩＣタグ３０の検出、ＩＣタグ３０のメモリ部の読み取り結果と、印刷用紙２０のサイズ、ＩＣタグ３０の埋め込みタイプにて決定される判別表を使用した搭載状態判別処理の動作について説明する。
【００４３】
図７は、搭載状態判別処理の動作例を示すフロ―チャートである。
【００４４】
手差しトレイ１７からの給紙を指定した印刷イベントの発生を検知すると、プリンタコントローラ１１は、ＩＣタグ読み取り装置に対して、手差しトレイ１７に搭載可能な最大サイズの印刷用紙２０のＩＣタグ３０が検知可能なレベルで、不特定のＩＣタグ３０に対して送信するマルチリード信号を出力し、印刷用紙２０に搭載されたＩＣタグ３０の読み取り制御を行う（Ｓ１０１）。
【００４５】
ここで、ステップＳ１０１に示したＩＣタグ３０の読み取り処理は、ＩＣタグ読み取り装置Ａ１４１、ＩＣタグ読み取り装置Ｂ１４２、２つのうちいずれか一方で行えばよく、プリンタ１０の制御パラメータの設定にて、使用するＩＣタグ読み取り装置を決定しＩＣタグ３０の検出制御、読み取り制御を行う。
【００４６】
ＩＣタグ３０が検出されると（Ｓ１０２ＹＥＳ）、検出されたＩＣタグ３０が複数か否かを判断する（Ｓ１０３）。
【００４７】
単一のＩＣタグ３０が検出された場合（Ｓ１０３ＮＯ）、プリンタコントローラ１１は、手差しトレイ１７に単一の用紙がセットされた時の搭載状態判別処理（詳細は後述する）を行う（Ｓ１０９）。
【００４８】
一方、複数のＩＣタグ３０が検出された場合（Ｓ１０３ＹＥＳ）、プリンタコントローラ１１は、検出された各用紙のＩＣタグ３０を個別に読み取って、用紙サイズ、埋め込みタイプが搭載された印刷用紙２０すべてにおいて、一致するかを判断する（Ｓ１０４）。
【００４９】
用紙サイズが複数種類混在している場合（Ｓ１０４ＮＯ）、用紙サイズの確認を使用者に促すメッセージを操作表示部１８に表示する（Ｓ１０５）。
【００５０】
用紙サイズがすべて一致した場合で（Ｓ１０４ＹＥＳ）、タグ埋め込みタイプが複数混在する場合（Ｓ１０６ＮＯ）、印刷用紙２０の種類を使用者に確認することを促すメッセージを操作表示部１８に表示する（Ｓ１０７）。
【００５１】
一方、用紙サイズ、ＩＣタグ３０の埋め込みタイプが搭載されたすべての印刷用紙２０において一致した場合（Ｓ１０６ＹＥＳ）、プリンタコントローラ１１は、手差しトレイ１７に複数の印刷用紙２０が搭載された時の搭載状態判別処理（詳細は後述する）を行う（Ｓ１０８）。
【００５２】
次に、図７のステップＳ１０９に示した、一枚の印刷用紙２０が、手差しトレイ１７にセットされた時の搭載状態判別処理について説明する。
【００５３】
図８は、手差しトレイ１７に印刷用紙２０が一枚搭載された時の搭載状態判別処理の動作例を示すフローチャートである。
【００５４】
プリンタコントローラ１１は、ＩＣタグ３０から「用紙サイズ」、「埋め込みタイプ」をＩＣタグ読み取り装置にて読み取り（Ｓ２０１）、読み取った「用紙サイズ」「埋め込みタイプ」に基づいて使用する判別表を、コントローラ記憶部１２にて決定して読み出す（Ｓ２０２）。
【００５５】
プリンタコントローラ１１は、ＩＣタグ読み取り装置に対して、検出レベルを０にする制御を行って（Ｓ２０３）、検出レベルを順次増加させるようにＩＣタグ読み取り装置を制御する（Ｓ２０４）。
【００５６】
そして、アンテナＡ１５１、あるいはアンテナＢ１５２のいずれかが先にＩＣタグ３０を検出すると（Ｓ２０５ＹＥＳ）、プリンタコントローラ１１は、検出したＩＣタグ読み取りアンテナの識別子、および、検出レベルをＩＣタグ読み取り装置から通知される検出データによって取得する（Ｓ２０７）。
【００５７】
ステップＳ２０２で決定して読み取った判別表から、ステップＳ２０７にて検出した、アンテナの識別子、検出レベルに対応する印刷用紙２０の搭載状態を特定して読み取る（Ｓ２０８）。
【００５８】
プリンタコントローラ１１は、読み取った搭載状態に基づいて、印刷する画像のサイズ、印刷する画像の長手、短手の向きと、給紙されて画像が印刷されるときの用紙の長手、短手の向きおよび用紙サイズとの整合性を確認する。
【００５９】
再度、ステップＳ２０６の処理に戻り、ＩＣタグ読み取りアンテナの検出レベルを、所定の最大レベルまで順次増加させた結果、いずれのアンテナからもＩＣタグ３０を検出できない場合は（Ｓ２０６YES）、検出エラーを操作表示部１８に表示して異常終了する（Ｓ２０９）。
【００６０】
次に、図７のフロ−チャートのステップＳ１０８に示した複数枚の印刷用紙２０が、手差しトレイ１７にセットされた場合の判別処理を図９に示して説明する。
【００６１】
プリンタコントローラ１１は、図７のステップＳ１０４の処理で判定した用紙サイズ、Ｓ１０５の処理によって特定したＩＣタグ３０の埋め込みタイプを、コントローラ記憶部１２から読み出す（Ｓ３０１）。
【００６２】
図７のステップＳ１０１の処理によって、コントローラ記憶部１２に一時記憶された各ＩＣタグ３０のメモリ部の読み取りデータから、搭載状態判別処理が未処理のＩＣタグ３０の識別子に対応する読み取りデータを一つずつ読み出す（Ｓ３０２）。
【００６３】
プリンタコントローラ１１は、ステップＳ３０１で特定した判別表と、ステップＳ３０２の処理で特定した識別子を持ったＩＣタグに対して図８にて示した検出レベルによる搭載状態判別処理を行い（Ｓ３０３）、ステップＳ３０２で読み出した判別対象となるひとつのＩＣタグ３０の識別子に対応付けて判別した搭載状態をコントローラ記憶部１２に記録する（Ｓ３０４）。
【００６４】
ここで、複数検出されたＩＣタグ３０のうち、搭載状態が判別済みの用紙（ICタグ３０）がある場合（Ｓ３０５ＹＥＳ）、ステップＳ３０３で判別した搭載状態が、判別済みの搭載状態と一致するか否かをコントローラ記憶部12に記録した判別済みとなったICタグ３０の搭載状態と比較照合する（Ｓ３０６）。
【００６５】
判別した印刷用紙２０の搭載状態が、判別済みの搭載状態に一致しない場合（Ｓ３０６ＮＯ）、プリンタコントローラ１１は、手差しトレイ１７にセットした印刷用紙２０の方向確認を使用者に促すメッセージを操作表示部１８に表示する（Ｓ３１１）。
【００６６】
印刷用紙２０の長手方向、短手方向は、検出済みのＩＣタグすべてにおいて一致している状態で（Ｓ３０５ＹＥＳ）、印刷面が指定された印刷用紙２０を使用しいている場合（Ｓ３０７ＹＥＳ）、プリンタコントローラ１１は、プリンタ１０の給紙機構に則して用紙を搬送した際に、指定された用紙面に画像が印刷されるかを判断する（Ｓ３０８）。
【００６７】
画像の印刷面が正しい向きにセットされてない場合（Ｓ３０８ＮＯ）、プリンタコントローラ１１は、印刷面の向きを使用者に確認させるメッセージを操作表示部１８に表示する（Ｓ３０９）。
【００６８】
搭載状態が判別済みの各印刷用紙２０における長手、短手の方向がすべて一致し、印刷面向きがすべて正しくセットされている場合（Ｓ３０８ＹＥＳ）、未判別のＩＣタグ３０が残っているか否かを、コントローラ記憶部１２に記録した判別結果の有無を参照して確認し、未判別のＩＣタグ３０がある場合は（Ｓ３１０ＹＥＳ）、ステップＳ３０２に戻り、次の判別対象となる未処理のＩＣタグ３０の識別子をコントローラ記憶部12にて決定し、Ｓ３０３以後の搭載状態確認処理、搭載状態の整合性確認処理を実施する。
【００６９】
なお、これまでに説明した印刷用紙２０が複数枚搭載された時の印刷処理において、一つの印刷ジョブで印刷する画像が複数ページある場合、ページ画像のサイズ、長手、短手の方向は、各ページ同じであることを前提にして説明したが、印刷するページ毎に印刷する画像のサイズ、長手、短手の向き、位置が異なる複数ページの印刷制御を行う場合は、整合性確認の結果をコントローラ記憶部１２に記録し、記録した搭載状態と印刷するページ画像が適合するか否かの確認処理をページ毎に行うようにする。
【００７０】
以上が、本発明の画像形成装置を適用した用紙の搭載状態判別処理の説明である。
【００７１】
なお、２つの読み取りアンテナの検出レベルを双方同時に増加させて先に読み取り可能になった読み取りアンテナの検出レベルにて搭載状態を判別する例を示して説明したが、これ以外に、双方のアンテナの検出レベルを、搭載可能な最大の用紙サイズに合わせた最大の検出レベルを減少させて双方の読み取り取りが不可能となる直前の検出レベルにて搭載状態を特定するようにしてもよい。
【００７２】
また、双方のアンテナの検出レベルをそれぞれ個別に増大させて、読み取り可能になったアンテナの検出レベルを、それぞれ比較して、先に検出したアンテナを特定するようにして搭載状態を特定するようにしてもよい。
【産業上の利用可能性】
【００７３】
本発明の画像形成装置は、ＩＣタグが埋め込まれた印刷用紙に画像を印刷する画像形成装置に利用可能であり、特に、手差しトレイによる給紙機構を有した画像形成装置に利用可能である。
【図面の簡単な説明】
【００７４】
【図１】本発明の画像形成装置の構成を示すブロック図。
【図２】ＩＣタグの埋め込みタイプの例を示す図。
【図３】図２に示したＩＣタグの第１の埋め込みタイプにおける印刷用紙の搭載パターンを示した図。
【図４】図２に示したＩＣタグの第２の埋め込みタイプにおける印刷用紙の搭載パターンを示した図。
【図５】印刷用紙が搭載された各状態におけるＩＣタグを検出した検出アンテナと検出レベルの例を示す図。
【図６】コントローラ記憶部に記憶される搭載状態の判定表の例を示す図。
【図７】搭載状態判別処理の動作例を示すフロ―チャート。
【図８】手差しトレイに印刷用紙が一枚搭載された時の搭載状態判別処理の動作例を示すフローチャート。
【図９】手差しトレイに印刷用紙が複数枚搭載された時の搭載状態判別処理の動作例を示すフローチャート。
【符号の説明】
【００７５】
１０  プリンタ
１１  プリンタコントローラ
１２  コントローラ記憶部
１３  プリントエンジン
１４１  ＩＣタグ読み取り装置Ａ
１４２  ＩＣタグ読み取り装置Ｂ
１５１  アンテナＡ
１５２  アンテナＢ
１６  サイドガイド
１７  手差しトレイ
１８  操作表示部
２０  印刷用紙
３０  ＩＣタグ
【図１】
2007050992.tif 000003
【図２】
2007050992.tif 000004
【図３】
2007050992.tif 000005
【図４】
2007050992.tif 000006
【図５】
2007050992.tif 000007
【図６】
2007050992.tif 000008
【図７】
2007050992.tif 000009
【図８】
2007050992.tif 000010
【図９】
2007050992.tif 000011